(57)【要約】【課題】足測定に関する専門知識がなくとも、足のサイズを容易に測定することができる足サイズ測定具を提供する。【解決手段】本発明に基づく足サイズ測定具Ａは、シート状を呈し、足型表示部１０と、目盛り表示部２２と位置合わせ用線部２４とを有する足長測定部２０と、複数の目盛り表示部３２を平行に隣接した状態で有する足囲測定部３０と、複数の目盛り表示部４２を平行に隣接した状態で有する甲回り測定部４０とを有している。【選択図】　　　　図１
2004000618.tif 000002
【特許請求の範囲】
【請求項１】
足のサイズを測定する足サイズ測定具であって、
該足サイズ測定具が略シート状を呈し、足長を測定するための目盛りと、足囲を測定するための目盛りと、甲回りを測定するための目盛りとが設けられていることを特徴とする足サイズ測定具。
【請求項２】
上記足サイズ測定具が、さらに、測定した値を記入するための記入部を有し、該記入部が分離可能であることを特徴とする請求項１に記載の足サイズ測定具。
【発明の詳細な説明】
【０００１】
【発明の属する技術分野】
本発明は、足のサイズを測定する測定具に関するものである。
【０００２】
【従来の技術】
従来より、靴販売店において靴をオーダーメイドする際、靴販売員がメジャーを用いて足のサイズを測定していた。また、靴販売店に陳列してある靴を試着する場合、その靴が足に合うかどうかは、実際に靴を試着して、試着した人間の感覚によって、判断していた。
【０００３】
【発明が解決しようとする課題】
しかし、靴販売店において足のサイズを測定する場合、測定をする靴販売員には足測定及び靴に関する専門知識が必要となってくる。
【０００４】
また、専門知識を有する者がいない場合には、実際に靴を試着してみるしかないが、在庫がない等靴店の店頭で靴のサイズを合わせることができない場合や、足に疾患を有する場合には、試着が困難となる。また、特に革靴などの場合、履いているうちに皮が馴染んで、緩くなってくる場合が多々ある。そのため、人間の感覚のみで試着した靴が合うかどうかを判断するのは困難である。特に、オーダーメイドの場合には、足のサイズを正確に測定することが必要となる。
【０００５】
そこで、足測定に関する専門知識がなくとも、足のサイズを容易に測定することができる足サイズ測定具を提供することを目的とする。
【０００６】
【課題を解決するための手段】
本発明は上記問題点を解決するために創作されたものであって、第１には、足のサイズを測定する足サイズ測定具であって、該足サイズ測定具が略シート状を呈し、足長を測定するための目盛りと、足囲を測定するための目盛りと、甲回りを測定するための目盛りとが設けられていることを特徴とする。よって、足サイズ測定具１つで、足長と足囲と甲回りの３つを測定することが可能となる。
【０００７】
また、第２には、上記第１の構成において、上記足サイズ測定具が、さらに、測定した値を記入するための記入部を有し、該記入部が分離可能であることを特徴とする。よって、オーダーメイド等に利用することが可能となる。
【０００８】
また、以下の構成としてもよい。すなわち、第３には、足のサイズを測定する足サイズ測定具であって、該足サイズ測定具が略シート状を呈し、足長を測定するための目盛りであって、直線状に配設された目盛りを有する足長測定部と、足囲を測定するための目盛りを有する略帯状の目盛り表示部が複数平行に隣接して設けられた足囲測定部であって、各目盛り表示部が分離可能となっている足囲測定部と、甲回りを測定するための目盛りを有する略帯状の目盛り表示部が複数平行に隣接して設けられた甲回り測定部であって、各目盛り表示部が分離可能となっている甲回り測定部と、を有することを特徴とする。
【０００９】
この第３の構成によれば、上記足長測定部には、直線状に配設された目盛りが設けられているので、この目盛りに沿って足を合わせて足長を測定する。また、上記足囲測定部には、足囲を測定するための目盛りを有する略帯状の目盛り表示部が複数平行に隣接して設けられ、各目盛り表示部が分離可能となっているので、測定する足に応じて１つの目盛り表示部を分離して、足に巻き付け、足囲を測定する。また、上記甲回り測定部には、甲回りを測定するための目盛りを有する略帯状の目盛り表示部が複数平行に隣接して設けられ、各目盛り表示部が分離可能となっているので、測定する足に応じて１つの目盛り表示部を分離して、足に巻き付け、甲回りを測定する。よって、足サイズ測定具１つで、足長と足囲と甲回りの３つを測定することが可能となるとともに、特に、足囲測定部と甲回り測定部とが複数の目盛り表示部を有するので、異なる大きさの足であっても、正確に測定を行うことが可能となる。
【００１０】
また、第４には、上記第３の構成において、上記足囲測定部と甲回り測定部における目盛り表示部が、ミシン目により分離可能であることを特徴とする。よって、測定に適切な目盛り表示部のみを分離して測定することができる。
【００１１】
また、第５には、上記第３又は第４の構成において、上記足長測定部における目盛りに沿って、足の外形を表した足型であって、複数の大きさの足型が表示されていることを特徴とする。よって、異なる大きさの足であっても、足の載置場所の指針とすることができる。
【００１２】
また、第６には、上記第５の構成において、上記足型の第二指が上記足長測定部における目盛りの位置にあるように、足型が形成されていることを特徴とする。よって、足の載置場所の指針とすることができる。
【００１３】
また、第７には、上記第６の構成において、上記甲回り測定部における目盛り表示部は、上記足長測定部の目盛りの配置方向に略直角の方向に配置されており、また、上記足囲測定部における目盛り表示部は、上記足型において上記甲回り測定部の目盛り表示部よりも先端側に設けられ、上記足囲測定部の目盛り表示部は上記足長測定部の目盛りの配置方向に対して斜めに配置されていることを特徴とする。
【００１４】
また、第８には、上記第３から第７までのいずれかの構成において、上記足長測定部における目盛りの基点部である踵後端部配置位置には、該目盛りの配置方向に直角に直線状部が表示されていることを特徴とする。よって、電話帳等の部材をこの直線状部に沿って置いた後に該部材の壁面に接するように足を置くことにより正しい位置に踵位置を載置することが可能となる。
【００１５】
また、第９には、上記第２から第８までのいずれかの構成において、上記足サイズ測定具が、さらに、測定した値を記入するための記入部を有し、該記入部が分離可能であることを特徴とする。よって、オーダーメイド等に利用することが可能となる。
【００１６】
【発明の実施の形態】
本発明の実施の形態としての実施例を図面を利用して説明する。本発明に基づく足サイズ測定具Ａは、図１に示されるように、略長方形状のシート状部材５に、足型表示部１０と、足長測定部２０と、足囲測定部３０と、甲回り測定部４０、問診票・カルテ表示部Ｒ１、測定方法表示部Ｒ２、踵配置方法説明表示部Ｒ３等を有している。
【００１７】
このシート状部材５は、シート材で形成されており、例えば、紙材等で形成されている。
【００１８】
また、上記足型表示部１０は、人間の足の裏の外形をかたどった周状の曲線を描いたものであり、足の大きさに合わせて複数の足型が表示されている。なお、この複数の足型は、踵の位置を揃えて表示されている。
【００１９】
また、上記足長測定部２０は、目盛り表示部２２と位置合わせ用線部２４とを有している。この目盛り表示部２２は帯状に形成され、所定間隔おきに長さを示すための目盛りが表示されている。つまり、目盛り表示部２２は、メジャー表示部として機能する。この目盛り表示部２２は、上記足型表示部１０の足型の長手方向の略中央に沿って配置されている。この目盛り表示部２２及び足型表示部１０は、シート状部材５の外周の辺部に対して斜めに設けられ、シート状部材５のスペースを軽減できるようになっている。また、位置合わせ用線部２４は、直線状に形成され、該足長測定部２０の基端位置、すなわち、０ｃｍの位置に、該目盛り表示部２２の配置方向に直角に配置されている。
【００２０】
また、上記足囲測定部３０は、複数の目盛り表示部３２を平行に隣接した状態で有している。この目盛り表示部３２は帯状に形成され、所定間隔おきに長さを示すための目盛りが表示されている。つまり、この目盛り表示部３２は、メジャー表示部として機能する。目盛り表示部３２の長手方向は、上記目盛り表示部２２の長手方向に対して直角ではなく、足型の親指側に若干傾斜した角度をなしている。図１に示す例では、該目盛り表示部３２は、７つ設けられており、各目盛り表示部３２は、ミシン目３４により切取り可能となっている。
【００２１】
また、上記甲回り測定部４０は、複数の目盛り表示部４２を平行に隣接した状態で有している。この目盛り表示部４２は帯状に形成され、所定間隔おきに長さを示すための目盛りが表示されている。つまり、この目盛り表示部４２は、メジャー表示部として機能する。目盛り表示部４２の長手方向は、上記目盛り表示部２２の長手方向に対して略直角方向に配置されている。
【００２２】
なお、当然、上記甲回り測定部４０は足囲測定部３０よりも足型表示部１０の足型において踵に近い側に設けられている。
【００２３】
また、上記問診票・カルテ表示部Ｒ１には、図２に示すようなサイズ問診票・カルテが表示されている。このサイズ問診票・カルテは、名前、住所等の他、測定した足長、足囲、甲回りを記入できるようになっており、また、足型の種類、甲の高さ、足における疾患の有無を選択して記入できるようになっている。この問診票・カルテ表示部Ｒ１とそれ以外のシート状部材５の部分との境界領域には、ミシン目５０により切り取り可能となっている。
【００２４】
また、上記測定方法表示部Ｒ２には、図３に示すような測定方法説明図柄が表示されている。これは、足囲や甲回りを測定する際の足の測定箇所を説明するものである。
【００２５】
また、上記踵配置方法説明表示部Ｒ３には、上記位置合わせ用線部２４に踵を配置する方法が表示されている。例えば、「斜線の部分に重く厚い物（電話帳など）を置き、このシートとかかと最後部との垂直線が直角になるようにします。Ａ図参照」と記載する。ここでいうＡ図とは、図３に示す測定方法説明図柄が当たる。
【００２６】
上記構成の足サイズ測定具Ａの使用方法について説明する。まず、問診票・カルテ表示部Ｒ１をミシン目５０を介して切り取る。
【００２７】
そして、足長を測定する。つまり、踵最後部から降ろした垂線が位置合わせ用線部２４の基点位置Ｐになるように、位置合わせ用線部２４に沿って電話帳や箱等のように壁面が垂直となっている部材を置き、該部材に踵を接触した状態で上記足型表示部１０の足型に合わせて足を載置する。その際、足の踵のセンター位置は、目盛り表示部２２の０ｃｍの位置、つまり、基点位置Ｐ（図１参照）になるようにする。また、足の先端側は、足の第二指が目盛り表示部２２上になるようにする。その状態で、足長を測定する。つまり、足のつま先の端面と上記目盛り表示部２２とが交差する場所の目盛りを読み取る。
【００２８】
次に、足囲を測定する。つまり、最も足幅の広い部分、すなわち、親指（母指）の付け根と小指の付け根とを結ぶ直線に最も近い位置に位置する目盛り表示部３２をミシン目を破って切り取り、図４に示すように、該目盛り表示部３２の両端を足の上面に及ばせて、両側からの目盛り表示部３２を交差させて目盛り表示部３２を足に巻き付ける。これにより、０ｃｍの目盛りと交差する位置が足囲の長さを示すことになる。特に、足囲を測定するための足囲測定部３０における目盛り表示部３２が複数設けられているので、任意の足の大きさに合わせて適切に足囲を測定することが可能となる。なお、図４は、電話帳等の部材を省略して記載してある。また、該電話帳等の部材は、一旦該部材を置いた状態で足の配置位置を調整後に該部材を取り除いて測定してもよい。
【００２９】
次に、甲回りを測定する。つまり、土踏まずの上で最も甲の高い部分に位置する目盛り表示部４２をミシン目を破って切り取り、該目盛り表示部４２の両端を足の甲側に及ばせて、両側からの目盛り表示部４２を交差させて目盛り表示部４２を足に巻き付ける。これにより、０ｃｍの目盛りと交差する位置が甲回りの長さを示すことになる。特に、甲回りを測定するための甲回り測定部４０における目盛り表示部４２が複数設けられているので、任意の足の大きさに合わせて適切に甲回りを測定することが可能となる。
【００３０】
以上のようにして、足長と足囲と甲回りとを測定する。なお、測定に際しては、足のサイズを測定する者が自分で測定するよりは、他の者により測定してもらう方が正しい測定が可能となる。測定が終わったら、測定値を上記サイズ問診票・カルテに記入するとともに、他の記入箇所に記入する。記入の完了したサイズ問診票・カルテは、靴のオーダーメイドに使用したり、顧客情報として利用する。
【００３１】
本実施例の足サイズ測定具Ａによれば、足のサイズを簡単に測ることができる。また、足サイズ測定具Ａは１枚のシートで形成されているため、低コストで製造が可能であり、また、保管も容易である。さらに、踵の位置を決めるための位置合わせ用線部２４が設けられていることから、精度よく足長を測定することができ、また、足囲測定部３０における目盛り表示部３２や甲回り測定部４０における目盛り表示部４２は複数設けられているため、足の大きさに応じて精度よく測定することが可能となる。
【００３２】
また、本実施例の足サイズ測定具Ａはシート状に形成されているため、上記足サイズ測定具Ａの画像データをインターネットで配信したものをプリンタによりプリント出力したり、ＣＤ−ＲＯＭに上記足サイズ測定具Ａの画像データを入力しておき、該画像データをプリント出力する等して、このプリント出力したものを用いることができるので、遠隔地等でも容易に入手が可能となる。なお、足サイズ測定具Ａには、目盛りが表示されているので、寸法が合っているか否かはメジャーで測り、合っていない場合には、縮小コピーや拡大コピーをして寸法を合わせればよい。
【００３３】
なお、上記の足長、足囲、甲回りの測定の方法については、足サイズ測定具Ａの空白領域に簡単に記載しておくことが好ましい。
【００３４】
また、上記説明では、各メモリ表示部がミシン目により分離可能であるとして説明したが、鋏により切断して使用してもよい。
【００３５】
また、上記の足型表示部１０の足型としては、男性用と女性用、大人用と子供用等複数種類のものを設けるようにしてもよい。このようにすることにより、より足を正しい位置に合わせやすくなり、正確な測定が可能となる。また、足囲を測定する場合に、従来ではメジャーを用いて測定していたが、男性、女性、子供で、親指（母指）の付け根と小指の付け根とを結ぶ直線の足の軸線に対する傾き、すなわち、該直線の上方から見た傾きが異なるため、従来では足囲の測定方法を正確に知っている必要があったが、上記のように、男性用、女性用、子供用を用意し、例えば、男性用ならば男性の平均的な傾きに該足囲測定部を設けておくことにより、より専門性の高い測定が可能となる。また、その場合、足サイズ測定具には、その種類の別を表記しておくことが好ましい。
【００３６】
【発明の効果】
本発明に基づく足サイズ測定具によれば、足サイズ測定具１つで、足長と足囲と甲回りの３つを測定することが可能となるとともに、特に、足囲測定部と甲回り測定部とが複数の目盛り表示部を有するので、異なる大きさの足であっても、正確に測定を行うことが可能となる。
【図面の簡単な説明】
【図１】本発明の実施例に基づく足サイズ測定具の構成を示す平面図である。
【図２】サイズ問診票・カルテの内容を示す説明図である。
【図３】測定方法説明図柄の内容を示す説明図である。
【図４】足囲の測定の方法を示す斜視図である。
【符号の説明】
Ａ　足サイズ測定具
１０　足型表示部
２０　足長測定部
２２、３２、４２　目盛り表示部
２４　位置合わせ用線部
３０　足囲測定部
３４、４４　ミシン目
４０　甲回り測定部
Ｒ１　問診票・カルテ表示部
Ｒ２　測定方法表示部
Ｒ３　踵配置方法説明表示部
【図１】
2004000618.tif 000003
【図２】
2004000618.tif 000004
【図３】
2004000618.tif 000005
【図４】
2004000618.tif 000006